(57)【要約】      （修正有）【課題】同じ原稿の２度目以降の送信においても、最初に読み取ったスキャンデータを送信する画像形成装置及びその制御方法、プログラムを提供する。【解決手段】ファックス送信の際、原稿Ｇがスキャンされて得られたスキャンデータＳＤ１にＱＲコード１２０６が含まれていない場合は、スキャンデータＳＤ１をファックス送信し、原稿Ｇに済スタンプ１２０５を印字し、スキャンデータＳＤ１からマスタデータＭＤ及びそれに対応するＱＲコード１２０６を生成し、これらを対応付けてサーバのマスタデータ保存部に保存すると共に、原稿ＧにＱＲコード１２０６を印字する。スキャンデータＳＤ１にＱＲコード１２０６が含まれている場合は、ＱＲコード１２０６に対応するマスタデータＭＤをサーバのマスタデータ保存部から取得し、マスタデータＭＤから生成されたスキャンデータＳＤ２をファックス送信する。【選択図】図１２
2016046716.tif 000002
【特許請求の範囲】
【請求項１】
原稿を読み取って第１のスキャンデータを得る読み取り手段と、
前記読み取り手段により得られた第１のスキャンデータに特定情報が含まれていない場合に、前記第１のスキャンデータを送信する第１の送信手段と、
前記第１の送信手段による前記第１のスキャンデータの送信の処理が実施された場合に、前記第１のスキャンデータに対応するマスタデータを生成する第１の生成手段と、
前記第１の生成手段により生成されたマスタデータを特定するための特定情報を生成する第２の生成手段と、
前記第１の生成手段により生成されたマスタデータと前記第２の生成手段により生成された特定情報とを対応付けて保存先に保存させる保存手段と、
前記第２の生成手段により生成された特定情報を前記原稿に印字する印字手段と、
前記読み取り手段により得られた第１のスキャンデータに特定情報が含まれている場合に、前記第１のスキャンデータに含まれている特定情報に対応するマスタデータを前記保存先から取得する取得手段と、
前記取得手段により取得されたマスタデータに基づいて第２のスキャンデータを生成する第３の生成手段と、
前記第３の生成手段により生成された第２のスキャンデータを送信する第２の送信手段と、を有することを特徴とする画像形成装置。
【請求項２】
前記印字手段は、前記第２の生成手段により生成された特定情報を前記原稿に印字する場合は、前記第１の送信手段による前記第１のスキャンデータの送信の処理が実施されたことを示す所定のスタンプも前記原稿に印字することを特徴とする請求項１に記載の画像形成装置。
【請求項３】
前記第２の生成手段により生成された特定情報を前記原稿に印字するかしないかを指定する指定手段を有し、
前記生成された特定情報を前記原稿に印字しないように前記指定手段により指定されている場合は、前記マスタデータの生成及び保存、並びに、前記特定情報の生成、保存及び印字は行われないことを特徴とする請求項１または２に記載の画像形成装置。
【請求項４】
前記取得手段が前記マスタデータを前記保存先から取得できなかった場合は、前記第２の送信手段による送信は実施されないことを特徴とする請求項１〜３のいずれか１項に記載の画像形成装置。
【請求項５】
強制送信の実行指示を受け付ける受け付け手段を有し、
前記読み取り手段により得られた第１のスキャンデータに特定情報が含まれていない場合であっても、前記受け付け手段により強制送信の実行指示が受け付けられており且つ、前記取得手段が前記マスタデータを前記保存先から取得できなかったときは、前記第１の送信手段は前記読み取り手段により得られた前記第１のスキャンデータを送信することを特徴とする請求項４に記載の画像形成装置。
【請求項６】
前記特定情報は、ＱＲコード（登録商標）であることを特徴とする請求項１〜５のいずれか１項に記載の画像形成装置。
【請求項７】
原稿を読み取って第１のスキャンデータを得る読み取り工程と、
前記読み取り工程により得られた第１のスキャンデータに特定情報が含まれていない場合に、前記第１のスキャンデータを送信する第１の送信工程と、
前記第１の送信工程による前記第１のスキャンデータの送信の処理が実施された場合に、前記第１のスキャンデータに対応するマスタデータを生成する第１の生成工程と、
前記第１の生成工程により生成されたマスタデータを特定するための特定情報を生成する第２の生成工程と、
前記第１の生成工程により生成されたマスタデータと前記第２の生成工程により生成された特定情報とを対応付けて保存先に保存させる保存工程と、
前記第２の生成工程により生成された特定情報を前記原稿に印字する印字工程と、
前記読み取り工程により得られた第１のスキャンデータに特定情報が含まれている場合に、前記第１のスキャンデータに含まれている特定情報に対応するマスタデータを前記保存先から取得する取得工程と、
前記取得工程により取得されたマスタデータに基づいて第２のスキャンデータを生成する第３の生成工程と、
前記第３の生成工程により生成された第２のスキャンデータを送信する第２の送信工程と、を有することを特徴とする画像形成装置の制御方法。
【請求項８】
請求項７に記載の画像形成装置の制御方法をコンピュータに実行させるためのプログラム。
【発明の詳細な説明】
【技術分野】
【０００１】
本発明は、原稿画像を読み取って外部に送信する技術に関する。
【背景技術】
【０００２】
従来、原稿を読み取って得たスキャンデータをファクシミリ機能等によって外部に送信する機能を有した画像形成装置がある。例えば、オートドキュメントフィーダユニット（以下、ＡＤＦ）を搭載する複写機やレーザビームプリンタ（以下、ＬＢＰ）のほか、ファクシミリ装置に代表される複合機能を有した画像形成装置が知られている。
【０００３】
上記画像形成装置には、原稿画像をファックス送信する場合に、画像読取部においてスキャンした原稿に対して、送信済みであることを示す「済スタンプ」を印字する機能を有する画像形成装置がある。このような済スタンプを印字する機能を有する画像形成装置には、正常に受信されなかった原稿と未送信の原稿とを区別するために、それぞれに応じた済スタンプの印字が可能な画像形成装置も知られている（特許文献１）。
【先行技術文献】
【特許文献】
【０００４】
【特許文献１】特開平５−６３８８０号公報
【発明の概要】
【発明が解決しようとする課題】
【０００５】
しかしながら、特許文献１の装置では、ファックス送信に失敗した原稿に対してまで済スタンプが印字されるため、同じ原稿を読み取って送信し直す場合には済スタンプもスキャン画像に含まれてしまう。済スタンプが含まれた画像の送信を望まない場合は済スタンプが邪魔になる。また、ファックス送信に成功した場合であっても、同じ原稿を読み取って別の宛先に送信する場合に、やはり済スタンプが邪魔になってしまう。さらに、１度ファックス送信したことのある原稿を改めてファックス送信したい場合に、その原稿に事後的に手書き文字等が加えられていた場合に、手書き文字が邪魔になることもある。
【０００６】
本発明は上記従来技術の問題を解決するためになされたものであり、その目的は、同じ原稿の２度目以降の送信においても、最初に読み取ったスキャンデータを送信できるようにすることにある。
【課題を解決するための手段】
【０００７】
上記目的を達成するために本発明は、原稿を読み取って第１のスキャンデータを得る読み取り手段と、前記読み取り手段により得られた第１のスキャンデータに特定情報が含まれていない場合に、前記第１のスキャンデータを送信する第１の送信手段と、前記第１の送信手段による前記第１のスキャンデータの送信の処理が実施された場合に、前記第１のスキャンデータに対応するマスタデータを生成する第１の生成手段と、前記第１の生成手段により生成されたマスタデータを特定するための特定情報を生成する第２の生成手段と、前記第１の生成手段により生成されたマスタデータと前記第２の生成手段により生成された特定情報とを対応付けて保存先に保存させる保存手段と、前記第２の生成手段により生成された特定情報を前記原稿に印字する印字手段と、前記読み取り手段により得られた第１のスキャンデータに特定情報が含まれている場合に、前記第１のスキャンデータに含まれている特定情報に対応するマスタデータを前記保存先から取得する取得手段と、前記取得手段により取得されたマスタデータに基づいて第２のスキャンデータを生成する第３の生成手段と、前記第３の生成手段により生成された第２のスキャンデータを送信する第２の送信手段と、を有することを特徴とする。
【発明の効果】
【０００８】
本発明によれば、同じ原稿の２度目以降の送信においても、最初に読み取ったスキャンデータを送信することができる。
【図面の簡単な説明】
【０００９】
【図１】シートの第１面への印刷処理を示す画像形成装置の断面図である。
【図２】シートの第２面への印刷処理を示す画像形成装置の断面図である。
【図３】原稿の第１面の読み取り開始時を示す画像形成装置の断面図である。
【図４】原稿の第１面の読み取り終了時を示す画像形成装置の断面図である。
【図５】原稿の第２面の読み取り開始時を示す画像形成装置の断面図である。
【図６】原稿の第２面の読み取り終了時を示す画像形成装置の断面図である。
【図７】シートの第２面への画像形成時を示す画像形成装置の断面図である。
【図８】画像形成装置の電装の内部構成を示すブロック図である。
【図９】画像読取部の構成を示す図である。
【図１０】画像形成装置とサーバコンピュータのソフトウェア構成の一例を示す図である。
【図１１】第１、第２、第３の実施の形態における操作部に表示される操作画面の一例を示す図（図（ａ）、（ｂ）、（ｃ））である。
【図１２】原稿の読み取り画像をファックス送信する場合に生成されるデータ及び原稿への印字を示す図である。
【図１３】メニュー実行処理を示すフローチャートである。
【図１４】メニュー実行処理を示すフローチャートである。
【図１５】メニュー実行処理を示すフローチャートである。
【発明を実施するための形態】
【００１０】
以下、本発明の実施の形態を図面を参照して説明する。
【００１１】
（第１の実施の形態）
図１は、本発明の第１の実施の形態に係る画像形成装置の構成を示す図である。
【００１２】
この画像形成装置１は例えば、コピー機能やプリント機能、ＦＡＸ機能等を有する多機能デジタル複合機として構成される。しかし、本発明が適用される装置は、原稿画像を読み取ると共に、読み取った画像を外部に送信する機能を有する装置であればよく、画像形成装置と呼称されるものでなくてもよく、印刷装置やファクシミリ装置等と呼称される装置であってもよい。
【００１３】
図１〜図７は、画像形成装置１の断面図である。図１〜図７を用いて、画像形成装置１の構成、原稿画像の読取プロセス、及び印刷プロセスについて説明する。
【００１４】
図１等に示すように、画像形成装置１は、像担持体である回転可能な感光ドラム１０を有し、トナーを保持しながら回転する現像ローラ１１が感光ドラム１０に並設される。印刷信号を受けると、光学ユニット２が具備する発光部２１が、回転する感光ドラム１０の表面にレーザ光を照射する。レーザ光を照射された感光ドラム１０の表面には、電荷による潜像画像が形成される。現像ローラ１１は、感光ドラム１０の表面に形成された潜像画像に、保持しているトナーを回転しながら供給する。これにより、感光ドラム１０の表面には、トナー画像が形成される。
【００１５】
図１では、第１給紙部３０に収納されたシートＳの第１面への印刷処理を示している。シートＳは、ＣＳＴ（カセットトレイ）ピックアップローラ３１及び分離部３２により１枚ずつ搬送ローラ４０に搬送される。搬送ローラ４０は、感光ドラム１０の表面のトナー画像とシートＳの先端位置とのタイミングを合わせるように、シートＳを転写部１５へと搬送する。ここで、シートＳは、画像形成装置１が画像を印刷形成可能な媒体であればよく、例えば、紙、ＯＨＰシート等、様々な材質の記録材を含む。
【００１６】
感光ドラム１０の回転により転写部１５に搬送されるトナー画像は、転写部１５に付与される印加バイアスと圧力とによってシートＳに転写される。更に、転写部１５は、シートＳを定着部５０へ搬送する。定着部５０は、回転可能な加熱ローラ５１からの熱と、加熱ローラ５１と対向して回転可能な加圧ローラ５２の圧力とにより、トナー画像をシートＳに定着させる。トナー画像を定着されたシートＳは、排紙ローラ６０に搬送される。片面印刷の場合、排紙ローラ６０はシートＳをそのまま機外へ搬送し、シートＳは第１排紙部７０に積載される。画像形成装置１の各コンポーネントは、電装８００によって制御されている。
【００１７】
第１給紙部３０から給送されたシートＳが印刷されて第１排紙部７０へ排出される搬送路を「第１の搬送路」とする。従って、画像を形成するための画像形成部（光学ユニット２、感光ドラム１０、現像ローラ１１、定着部５０等）はいずれも、第１の搬送路を搬送される記録材に画像形成を行えるように配設される。
【００１８】
図２では、両面印刷処理におけるシートＳの第２面への印刷処理を示している。両面フラッパ６１は、シートＳの後端が通過した後、搬送路を切り替える。その後、排紙ローラ６０は逆回転し、シートＳを両面搬送路８０（第２の搬送路）へ搬送する。スイッチバックしたシートＳは、搬送ローラ４１を介して両面搬送路８０を搬送される。両面搬送路８０の近傍に画像読取部１００が設けられている。その後、シートＳは、搬送ローラ４２及び搬送ローラ４０によって搬送され、再び第１の搬送路における転写部１５へ搬送され、トナー画像がシートＳの裏面（第２面）に転写され、定着を経て、第１排紙部７０に積載される。
【００１９】
図３〜図７で、原稿の両面読み取りとシートＳへの両面印刷のプロセスについて説明する。原稿Ｇは、第２給紙部９０から供給される。図３では、原稿Ｇの表面である第１面の読み取り開始時を示している。
【００２０】
第２給紙部９０に収納された原稿Ｇは、コンタクトイメージセンサ（以下、ＣＩＳ）ピックアップローラ９１及び分離部９２により、１枚ずつ搬送ローラ４１によって搬送される。一方、画像読取部１００は、回転自在に配設される。画像読取部１００は、第２給紙部９０から給紙された原稿Ｇの第１面目の読み取り開始前までに、白基準部材１０１への発光と白基準値の修正を実施した後、両面搬送路８０に対面する位置（図３に示す位置）に回転する。つまり、画像読取部１００は、両面搬送路８０を搬送される原稿Ｇの画像を読み取る位置に回転する。
【００２１】
搬送ローラ４１は、原稿Ｇを、両面搬送路８０において画像読取部１００の位置まで搬送する。既に画像読取部１００は両面搬送路８０に対面する位置に待機しており、画像読取部１００により第１面が読み取られる。画像読取部１００で読み取られた情報は、画像メモリ８０４（図８参照）に原稿Ｇの第１面の読取画像として記憶される。なお、白基準部材１０１は下向きに配置されており、ごみ付着に対する配慮がなされている。
【００２２】
図４では、原稿Ｇの第１面の読み取り終了時を示している。画像読取部１００を通過した原稿Ｇは、搬送ローラ４２により搬送される。搬送ローラ４２は、原稿Ｇの後端がスイッチバックフラッパ８２を通過した時点で停止する。ここで、原稿Ｇは搬送ローラ４２に挟持された状態で停止する。停止から所定時間の経過後、スイッチバックフラッパ８２が、搬送路を、両面搬送路８０から原稿搬送路８１に切り替えると共に、画像読取部１００は原稿搬送路８１に対面する位置に回転する。即ち、画像読取部１００は、原稿搬送路８１を搬送される原稿Ｇの画像を読み取る位置に回転する。搬送ローラ４２が逆回転し、原稿Ｇを原稿搬送路８１へ搬送する。
【００２３】
なお、このときに、原稿Ｇを搬送ローラ４２で止めずに搬送ローラ４０まで搬送して第１面の読み取りを行った後に、図１で説明した画像形成プロセスへ移行することもできる。
【００２４】
図５では、原稿Ｇの裏面である第２面の読み取り開始時を示している。搬送ローラ４２が逆回転を開始し、原稿搬送路８１に沿って原稿Ｇを画像読取部１００の位置に搬送する。原稿Ｇが画像読取部１００を通過するときに、画像読取部１００は原稿Ｇの第２面を読み取り、読み取られた画像情報は原稿Ｇの第２面の読取画像として画像メモリ８０４に記憶される。
【００２５】
このように、画像読取部１００は、両面搬送路８０と原稿搬送路８１との間に挟まれる位置に設けられ、回転して位置を変えることで、両面搬送路８０と原稿搬送路８１のそれぞれを搬送される原稿Ｇを読み取ることができる。
【００２６】
原稿Ｇの第２面目の読み取りが開始されると、第１給紙部３０から給紙されたシートＳが１枚ずつ搬送ローラ４０に搬送される。これとほぼ同時に、画像メモリ８０４に記憶された第２面の読取画像を基に発光部２１が感光ドラム１０に潜像画像を形成する。次に、シートＳは転写部１５でトナー画像を転写された後、定着部５０に搬送されて定着され、原稿第２面目の画像形成が完了する。
【００２７】
なお、図５では、原稿Ｇの第２面の読み取り開始とともにシートＳの給紙を開始しているが、第２面の情報を読み取った後にシートＳの給紙を開始してもよい。また、ここでは、原稿Ｇの両面を読み取る場合を説明したが、ユーザの設定等に応じて原稿Ｇの片面（第１面）のみを読み取る場合もある。片面読み取りの場合、原稿Ｇの搬送経路路は両面読み取りの場合と同じであるが、原稿の第２面の読み取り動作が不要になる。また、シートＳには第１面の読取画像が印刷される。
【００２８】
図６では、原稿Ｇの第２面の読み取り終了時を示している。第２面の読み取りが終了した原稿Ｇは、搬送ローラ４３及び搬送ローラ４４によって搬送され、第２排紙部１１０に排出・積載される。
【００２９】
スイッチバックフラッパ８２を原稿Ｇの後端が通過したことが、スイッチバックフラッパ８２の搬送方向手前側に設けられた不図示のセンサによって検知される。すると、スイッチバックフラッパ８２は、原稿Ｇの第２面の読取画像の形成が完了したシートＳが搬送ローラ４２を介して搬送ローラ４０に搬送されるように、搬送路を原稿搬送路８１から両面搬送路８０へ切り替える。原稿Ｇの第２面の画像の形成が完了したシートＳの裏面に画像形成を行うために、排紙ローラ６０の逆回転によって、両面フラッパ６１によって切り替えられた両面搬送路８０に向けてシートＳが搬送される。
【００３０】
図７では、シートＳの第２面への画像形成時を示している。図７で、原稿Ｇの第１面の読取画像を基にシートＳの第２面へ画像形成を行う際の動作について説明する。両面搬送路８０に搬送されるシートＳは、画像読取部１００の位置を通過し、破線で示されるように搬送ローラ４２を介して搬送ローラ４０に搬送され、更に、再び第１の搬送路における転写部１５へ搬送される。既にシートＳの第１面には、原稿Ｇの第２面目の読取画像の形成が終了しており、次に、画像メモリ８０４に記憶された原稿Ｇの第１面目の読取画像に基づきシートＳの第１面に画像が形成される。具体的には、シートＳは、画像形成部によってトナー画像の転写及び定着を経て、第１排紙部７０に排出されて積載される。
【００３１】
このように、両面搬送路８０（第２の搬送路）は、原稿Ｇの第１面の読み取りを行うための搬送路である共に、シートＳに両面印刷を行う際に反転したシートＳが搬送される搬送路でもある。両面搬送路８０が２つの搬送路の機能を兼ねていることから、装置がコンパクトになっている。
【００３２】
また、画像形成装置１においては、第２給紙部９０から給送される原稿Ｇに画像形成部において画像を形成することも可能である。この動作について説明する。
【００３３】
原稿Ｇの読み取りに関しては、図３〜図５で示した動作と同じであるが、原稿Ｇに対して画像を形成する場合であるため、シートＳの給紙は行わない。図５に示すように、原稿搬送路８１において原稿Ｇの第２面の読み取りが完了した後に、搬送ローラ４３が逆回転し、第１の搬送路における転写部１５へ原稿Ｇが搬送される。第１の搬送路において原稿Ｇに画像が形成され、原稿Ｇが第１排紙部７０に排出される。従って、原稿Ｇは、第２給紙部９０→両面搬送路８０→原稿搬送路８１→第１の搬送路→第１排紙部７０という経路をたどる。なお、原稿Ｇに画像を印刷する際に、原稿Ｇの画像を読み取ることは必須でない。このように、画像形成部は、シートＳだけでなく、第１の搬送路を搬送される原稿Ｇに対して画像を形成することも可能である。これにより、原稿Ｇに対して読み取り処理と印刷処理を実施することが可能である。
【００３４】
図８は、画像形成装置１の電装８００の内部構成を示すブロック図である。電装８００は、制御ＣＰＵ８０１（以下、ＣＰＵ８０１と略記することもある）によって制御される各ユニットが備えられている。
【００３５】
ＣＰＵ８０１には、ポリゴンミラー、モータ及びレーザ発光素子などを含む発光部２１が、ＡＳＩＣ（Application Specific Integrated Circuit）８０２を介して接続されている。ＣＰＵ８０１は、感光ドラム１０の表面にレーザ光を走査して所望の潜像画像を形成するために、ＡＳＩＣ８０２に対して制御信号を出力し、光学ユニット２を制御する。
【００３６】
ＣＰＵ８０１にはプログラムメモリ８０３が接続される。プログラムメモリ８０３には、ＣＰＵ８０１によって行われる処理の全てまたは一部を実行するためのプログラムやデータが格納されている。すなわち、ＣＰＵ８０１が、プログラムメモリ８０３に格納されたプログラム及びデータを実行することによって、本発明の各実施の形態を実現する。プログラムメモリ８０３はＲＯＭやＲＡＭで構成されるが、ＨＤＤ（ハードディスクドライブ）を含んでいてもよい。
【００３７】
ＣＰＵ８０１は、両面フラッパソレノイド８２０、スイッチバックソレノイド８２１などの駆動系を制御する。また、ＣＰＵ８０１は、ＡＳＩＣ８０２に制御信号を送信して、ＣＳＴ給紙ソレノイド８２２、ＣＩＳ給紙ソレノイド８２３、メインモータ８３０、両面駆動モータ８４０などの駆動系を制御する。
【００３８】
メインモータ８３０は、シートＳを搬送するためにＣＳＴピックアップローラ３１、搬送ローラ４０、感光ドラム１０、転写部１５、加熱ローラ５１、加圧ローラ５２を駆動する。ＣＳＴ給紙ソレノイド８２２は、シートＳを給紙する給紙ローラの駆動開始時にオンにしてＣＳＴピックアップローラ３１を駆動する。両面駆動モータ８４０はＣＩＳピックアップローラ９１と搬送ローラ４１〜４４を駆動する。ＣＩＳ給紙ソレノイド８２３は、原稿Ｇを給紙する給紙ローラの駆動開始時にオンにして、両面駆動モータ８４０のトルクをＣＩＳピックアップローラ９１に伝達する。
【００３９】
ＡＳＩＣ８０２は、ＣＰＵ８０１の指示に基づいて発光部２１の内部のモータの速度制御、メインモータ８３０及び両面駆動モータ８４０の速度制御を行う。モータの速度制御において、ＡＳＩＣ８０２は、モータからのタック信号を検出して、検出したタック信号の間隔が所定の時間となるよう加速信号または減速信号をモータに送信する。タック信号とは、モータが回転するごとにモータから出力されるパルス信号である。制御回路がＡＳＩＣ８０２のハードウェアによる回路で構成されるので、ＣＰＵ８０１の制御負荷が低減される。
【００４０】
画像メモリ８０４は、ＲＡＭまたはＨＤＤで構成されており、画像読取部１００によって読み取られた画像を記憶する。ＣＰＵ８０１は、電子写真プロセスに必要な１次帯電、現像、１次転写、２次転写バイアスを制御する高電圧電源８１０、さらに、定着を制御する低電圧電源８１１を制御する。さらに、ＣＰＵ８０１は、定着部５０に設けられたサーミスタ（図示せず）により温度をモニタし、定着温度を一定に保つように制御する。
【００４１】
ＣＰＵ８０１は、ホストコンピュータ（不図示）から指示されたプリントコマンドを受信すると、メインモータ８３０、両面駆動モータ８４０、ＣＳＴ給紙ソレノイド８２２を駆動してシートＳを搬送する。シートＳは、感光ドラム１０の表面に形成されたトナー像が転写部１５によって転写された後、定着部５０によってトナー像が定着されてから、排紙ローラ６０によって第１排紙部７０へ排出される。画像形成済みシートの整列性を高めるため、第１排紙部７０には、排紙口付近からシート排出方向に向けてゆるやかな上り勾配が設けられている。ここで、ＣＰＵ８０１は、定着部５０に対して低電圧電源８１１を介して所定の電力を供給し、所望の熱量を発生させてシートＳを加熱し、シートＳ上のトナー画像を融着し定着させる。
【００４２】
ＣＰＵ８０１は、操作部８５１とのインターフェースである操作部Ｉ／Ｆ８５０を介して、操作部８５１に表示する操作画面データを出力する。操作部Ｉ／Ｆ８５０は、操作部８５１からユーザが入力した情報をＣＰＵ８０１に伝達する。ファックス部８５２は、モデム等の変調復調機能、画像メモリ８０４の画像データの解像度変換機能、及び圧縮伸長処理機能を有する。ＣＰＵ８０１は、ファックス部８５２を介して、ＷＡＮなどの公衆回線８６０に接続し、画像メモリ８０４の画像データの入出力を行う。すなわち、ＣＰＵ８０１は、ファックス部８５２を介してファックス（ファクシミリ）機能を実現する。
【００４３】
さらに、ＣＰＵ８０１は、ＮＩＣ（Ｎｅｔｗｏｒｋ  Ｉｎｔｅｒｆａｃｅ  Ｃａｒｄ）８５３を介して、ＬＡＮなどの通信回線８６１に接続し、画像メモリ８０４の画像データの入出力を行う。すなわち、ＣＰＵ８０１は、ＮＩＣ８５３を介して、画像データ保存が可能なサーバコンピュータ８７０との間で、画像データの保存及び取得を実現する。通信回線８６１を通じて画像形成装置１とサーバコンピュータ８７０とが接続されて画像形成システムが構築される。ここで、サーバコンピュータ８７０においては、図示しないＣＰＵが、図示しないプログラムメモリに格納されたプログラムを実行し、データを処理する。
【００４４】
次に、画像形成装置１における原稿読取（スキャン）動作について説明する。スキャン開始指示があると、両面フラッパソレノイド８２０及び両面駆動モータ８４０を駆動する。さらに、ＣＰＵ８０１は、ＣＩＳ給紙ソレノイド８２３を駆動することで、両面駆動モータ８４０のトルクをＣＩＳピックアップローラ９１に伝達させ、原稿Ｇが搬送される。
【００４５】
画像読取部１００は、Ｓｌ＿ｏｕｔ信号９１０をＡＳＩＣ８０２に出力する。また、画像読取部１００には、各種制御信号である発光素子制御（ＣＩＳＬＥＤ）信号９０３、スタートパルス（ＣＩＳＳＴＡＲＴ）信号９０２がＡＳＩＣ８０２から入力される。さらに画像読取部１００には、ＣＩＳの動作速度を決めるシステムクロック（ＳＹＳＣＬＫ）９１４のほか、Ｓｌ＿ｉｎ信号９１２、Ｓｌ＿ｓｅｌｅｃｔ信号９１３がＡＳＩＣ８０２から入力される。ＣＰＵ８０１は、ＡＳＩＣ８０２を介して各種制御により画像読取部１００から読み取った画像を画像メモリ８０４に保存する。その後、ＣＰＵ８０１は、スイッチバックソレノイド８２１を駆動して、スイッチバックフラッパ８２を原稿搬送路８１側に切り替え、両面駆動モータ８４０を反転させ、原稿Ｇを第２排紙部１１０まで搬送する。
【００４６】
図９は、画像読取部１００の構成を示す図である。画像読取部１００においては、コンタクトイメージセンサ（ＣＩＳ）９０１が用いられる。ここで、ＣＩＳ９０１は、例えば１０３６８画素分のフォトダイオードが特定の主走査密度（例えば１２００ｄｐｉ）でアレイ状に配置されている。発光素子９０７は、電流増幅部９０６によって増幅された電流に基づいて発光し、ＣＩＳ９０１に対面する原稿Ｇを均一に照射する。
【００４７】
ＣＩＳＳＴＡＲＴ信号９０２がアクティブになると、ＣＩＳ９０１は、受けた光に基づく電荷の蓄積を開始し、出力バッファ９０４にデータを順次セットする。転送クロック（ＣＩＳＣＬＫ）９１５（例えば５００ｋＨｚから１ＭＨｚ）がシフトレジスタ９０５に与えられると、シフトレジスタ９０５は、出力バッファ９０４にセットされたデータをＣＩＳＳＮＳ信号９１８としてＡ／Ｄコンバータ９０８に転送する。
【００４８】
ＣＩＳＳＮＳ信号９１８には所定のデータ保障領域があるため、転送クロック９１５の立ち上がりタイミングから所定の時間が経過した後にＣＩＳＳＮＳ信号９１８のサンプリングが行われる。ＣＩＳＳＮＳ信号９１８は、転送クロック９１５の立ち上がりと立ち下りの双方のエッジに同期して出力される。Ａ／Ｄコンバータ９０８のサンプリング速度を決定するＣＩＳサンプリングクロック（ＡＤＣＬＫ）９１６の周波数は転送クロック９１５の２倍となるように生成される。そして、ＣＩＳサンプリングクロック９１６の立ち上がりのエッジにてＣＩＳＳＮＳ信号９１８がサンプリングされる。
【００４９】
タイミングジェネレータ９１７はシステムクロック９１４を分周して、ＣＩＳサンプリングクロック９１６及び転送クロック９１５を生成する。ＣＩＳサンプリングクロック９１６の位相は、転送クロック９１５と比べて、データ保障領域分だけ遅延している。
【００５０】
Ａ／Ｄコンバータ９０８でデジタル変換されたＣＩＳＳＮＳ信号９１８は、出力インターフェース回路９０９によって所定のタイミングでＳｌ＿ｏｕｔ信号９１０として送信される。Ｓｌ＿ｏｕｔ信号９１０はシリアルデータである。その際、ＣＩＳＳＴＡＲＴ信号９０２から所定画素数分のＣＩＳＳＮＳ信号９１８は、アナログ出力基準電圧であるため、有効画素としては使用されない。
【００５１】
制御回路９１１は、Ｓｌ＿ｉｎ信号９１２及びＳｌ＿ｓｅｌｅｃｔ信号９１３に従ってＡ／Ｄコンバータ９０８のＡ／Ｄ変換ゲインを可変に制御することができる。例えば、撮像された画像のコントラストが適切に得られない場合、ＣＰＵ８０１は、Ａ／Ｄコンバータ９０８のＡ／Ｄ変換ゲインを大きくするよう制御回路９１１に指示し、コントラストを増加させる。これにより、画像を最良なコントラストで撮影することができる。
【００５２】
図９では、全ての画素が１つずつＣＩＳＳＮＳ信号９１８として出力される例を説明した。しかし、画像を高速で読み取るために、複数画素をエリアごとに分割して、複数のエリアを並行してＡ／Ｄ変換してもよい。また、図９では、ＣＩＳを画像読取部１００に用いた。しかし、ＣＭＯＳセンサやＣＣＤセンサを画像読取部１００に用いてもよい。
【００５３】
図１０は、画像形成装置１とサーバコンピュータ８７０のソフトウェア構成の一例を示す図である。画像形成装置１のソフトウェアはプログラムメモリ８０３に格納され、ＣＰＵ８０１により制御される。サーバコンピュータ８７０のソフトウェアはサーバコンピュータ８７０のＣＰＵにより制御される。上述のように、画像形成装置１とサーバコンピュータ８７０とは通信回線８６１によりネットワーク接続されている。
【００５４】
画像形成装置１のプログラムメモリ８０３は、動作制御部１００１、スキャン制御部１００２、印刷制御部１００３、及びファックス制御部１００４を有する。動作制御部１００１は、スキャン制御部１００２、印刷制御部１００３、及びファックス制御部１００４を制御する。
【００５５】
スキャン制御部１００２は、原稿Ｇに対する画像読取部１００によるスキャン機能、原稿Ｇをスキャンした画像データ（以降、スキャンデータＳＤと称す）を画像メモリ８０４へ保存する機能を有する。スキャン制御部１００２はまた、原稿ＧのスキャンデータＳＤから、原稿ＧにＱＲコード（登録商標）が印字されているか否かを判定する機能、及びＱＲコードを生成する機能を有する。ここで、ＱＲコードは、原稿Ｇのスキャンデータを特定することが可能な情報を有した２次元コードであり、ＱＲコード以外の２次元コードを使用しても良い。
【００５６】
スキャン制御部１００２はまた、マスタデータＭＤとＱＲコード情報とをサーバコンピュータ８７０に保存させる機能を有する。ここで、ＱＲコード情報とは、ＱＲコードをデコードすることにより得られる情報である。ＱＲコードないしＱＲコード情報が、原稿Ｇのスキャンデータを一意に特定するための「特定情報」となる。また、マスタデータＭＤとは、スキャン制御部１００２が、画像メモリ８０４のスキャンデータＳＤを、サーバコンピュータ８７０に保存可能なファイル形式のデータに変換したデータである。すなわち、マスタデータＭＤとは、サーバコンピュータ８７０のオペレーティングシステムのファイルシステムに対応した形式のデータである。マスタデータＭＤは例えば、ファイルシステムに対応して生成されたファイルに対するファイルデータであって、スキャンデータＳＤが書き込まれたファイルデータを意味する。
【００５７】
スキャン制御部１００２はまた、サーバコンピュータ８７０からマスタデータＭＤを取得して画像メモリ８０４に保存する場合には、画像読取部１００でスキャンした画像データと同じデータ形式にマスタデータＭＤを変換する機能を有する。
【００５８】
印刷制御部１００３は、ファックス送信済みの原稿Ｇに「済スタンプ」やＱＲコードを印字する等の機能を含む印刷機能を有する。済スタンプ１２０５（図１２参照）は、原稿Ｇから読み取ったスキャンデータＳＤのファックス送信の処理が実施された場合にその原稿Ｇに印字される所定のマークまたは文字・数字等であり、形態は問わない。ファックス制御部１００４は、画像メモリ８０４のスキャンデータＳＤを、ファックス部８５２を介してファックス送信する機能を有する。
【００５９】
サーバコンピュータ８７０は、マスタデータ制御部１００５及びマスタデータ保存部１００６を有する。マスタデータ制御部１００５は、スキャン制御部１００２からマスタデータＭＤ、及び、マスタデータＭＤに対応付けられたＱＲコード情報を受信し、これらをマスタデータ保存部１００６に保存する機能を有する。また、マスタデータ制御部１００５は、スキャン制御部１００２から送信されるＱＲコード情報に対応するマスタデータＭＤをマスタデータ保存部１００６から取得し、スキャン制御部１００２に返送する機能を有する。
【００６０】
図１１（ａ）は、操作部８５１に表示される操作画面１１０１の一例を示す図である。なお、図１１（ｂ）、（ｃ）はそれぞれ第２、第３実施の形態で表示される画面例であり、これらについては後述する。
【００６１】
図１１（ａ）に示すように、操作画面１１０１には、ハードキー操作部１１１０、タッチパネルシートが貼られた液晶ディスプレイ部を有するソフトキー操作部１１２０が表示される。ハードキー操作部１１１０は、スタートキー１１１１、ストップキー１１１２、及びテンキー１１１３を含む。ソフトキー操作部１１２０は、メニュー表示部１１２１、及び選択したメニューに対応した詳細機能表示部１１２２を含む。
【００６２】
スタートキー１１１１は、ソフトキー操作部１１２０にて選択・設定されている機能を開始するためのキーである。ストップキー１１１２は、スタートキー１１１１により開始された稼働中の動作を止めるためのキーである。テンキー１１１３は、ファックスの宛先やコピー部数の設定を行うためのキーであるが、図１１（ａ）に示す英数字や記号に限定されない。
【００６３】
メニュー表示部１１２１には、機能を選択するメニューとして「ファックス」のほか、「メニューＡ」・・・「メニューＸ」が表示される。各メニューには、画像形成装置１が有するコピー機能やＥメール送信機能等の各種メニューがある。詳細機能表示部１１２２には、メニュー表示部１１２１で選択された機能に関する詳細設定のためのメニューが表示される。例えば、「ファックス」が選択された場合、詳細機能表示部１１２２にはファックス送信のための詳細機能が表示され、ファックス送信先である「宛先の設定１１２３」、及び「アドレス帳１１２４」が表示される。ここで、宛先の設定１１２３は、ファックス送信する宛先を設定するためのエディットボックスであり、ユーザは、テンキー１１１３からの入力や「アドレス帳」１１２４からの宛先選択により、宛先を設定できる。
【００６４】
次に、図１２、図１３を用いて、ファックス送信時に済スタンプが印字された原稿Ｇを再度ファックス送信する場合に、送信するスキャンデータＳＤに済スタンプが含まれないようにする方法について説明する。
【００６５】
図１２は、原稿Ｇの読み取り画像をファックス送信する場合に生成されるデータ及び原稿への印字を示す図である。
【００６６】
ここで、スキャンデータＳＤには、原稿Ｇを読み取って得たものとマスタデータＭＤから生成されたものとがある。これらを区別して説明する際には、原稿Ｇを読み取って得たものをスキャンデータＳＤ１（第１のスキャンデータ）、マスタデータＭＤから生成されたものをスキャンデータＳＤ２（第２のスキャンデータ）と記す。また、原稿Ｇには、ファックス未送信原稿と送信済み原稿とがある。原稿Ｇのうち、特に送信済み原稿を区別して呼称するときには送信済み原稿Ｇ２と記す。
【００６７】
ファックス送信をする際には、スキャン制御部１００２によりスキャン処理が制御される。原稿Ｇは、第２給紙部９０にセットされた後、ＣＩＳピックアップローラ９１及び搬送ローラ４１により搬送され、画像読取部１００にてスキャンされ、スキャンデータＳＤ１が得られる。スキャンデータＳＤ１は、画像メモリ８０４に保存される。画像メモリ８０４に保存されたスキャンデータＳＤ１は、ファックス制御部１００４により、ファックス部８５２を介してファックス送信される。
【００６８】
スキャン制御部１００２により、スキャンデータＳＤ１からマスタデータＭＤが生成される。マスタデータＭＤは、画像形成装置１からサーバコンピュータ８７０に送られてマスタデータ保存部１００６に保存される。送信済み原稿Ｇ２は、原稿Ｇに対して、済スタンプ１２０５と、マスタデータＭＤを特定するためのＱＲコード１２０６とが印字された原稿である。済スタンプ１２０５及びＱＲコード１２０６は印刷制御部１００３により印字される。なお、本実施の形態にはおいては、ファックス送信が実施された場合には、済スタンプ１２０５及びＱＲコード１２０６が常に原稿Ｇに印字されるものとする。
【００６９】
また、スキャン制御部１００２は、ファックス送信するためのスキャンデータＳＤ２をマスタデータＭＤに基づいて生成する。マスタデータＭＤは、原稿Ｇを最初に読み取ったスキャンデータＳＤ１に対応するものであるので、済スタンプ１２０５及びＱＲコード１２０６が含まれない画像データである。従って、スキャンデータＳＤ２は、済スタンプ１２０５及びＱＲコード１２０６が含まれない点で、原稿Ｇを最初に読み取ったスキャンデータＳＤ１と実質的に同等の画像データである。
【００７０】
図１３は、メニュー実行処理を示すフローチャートである。この処理は、実質的にはＣＰＵ８０１がプログラムメモリ８０３のプログラムを実行することで実現される。
【００７１】
まず、動作制御部１００１は、操作部８５１の操作画面１１０１（図１１（ａ））のソフトキー操作部１１２０におけるメニュー表示部１１２１によるメニュー選択を受け付ける（ステップＳ１３０１）。そして、動作制御部１００１は、選択されたメニューが「ファックス」であるか否かを判別する（ステップＳ１３０２）。その判別の結果、動作制御部１００１は、「ファックス」メニューが選択された場合は、処理をステップＳ１３０３に進める一方、「ファックス」以外のメニューが選択された場合は、図１３の処理を終了させる。なお、図示はしないが、「ファックス」以外のメニューが選択された場合、動作制御部１００１は、コピーやＥメール送信等、選択されたメニューに応じた処理を実行してから図１３の処理を終了させる。
【００７２】
ステップＳ１３０３では、動作制御部１００１は、詳細機能表示部１１２２（図１１（ａ））の宛先の設定１１２３に対する設定を受け付けることで、原稿Ｇをファックス送信する宛先を設定する。次に、動作制御部１００１は、スタートキー１１１１が押下されたか否かの判別を継続し、ファックス送信開始指示を待つ（ステップＳ１３０４）。スタートキー１１１１が押下されると、動作制御部１００１は、スキャン制御部１００２に制御を移す。そして、スキャン制御部１００２は、原稿Ｇをスキャンする（ステップＳ１３０５）。すなわち、スキャン制御部１００２は、第２給紙部９０にセットされた原稿Ｇを、ＣＩＳピックアップローラ９１及び搬送ローラ４１を介して搬送し、画像読取部１００にて原稿Ｇの第１面を読み取るよう制御する。さらに、スキャン制御部１００２は、原稿ＧをスキャンしたデータであるスキャンデータＳＤ１を画像メモリ８０４（図８）に保存する。すなわち、スキャン制御部１００２は、本発明における「読み取り手段」として機能する。
【００７３】
次に、スキャン制御部１００２は、原稿ＧにＱＲコード１２０６が印字されていたか否かを、ステップＳ１３０５で得たスキャンデータＳＤ１にＱＲコード１２０６が含まれているかによって判別する（ステップＳ１３０６）。すなわち、ステップＳ１３０５でスキャンされた原稿Ｇは送信済み原稿Ｇ２である可能性もあり、送信済み原稿Ｇ２である場合は、スキャンデータＳＤ１にＱＲコード１２０６が含まれる。その判別の結果、スキャン制御部１００２は、スキャンデータＳＤ１にＱＲコード１２０６が含まれていない場合は、原稿Ｇは未送信の原稿であるので、動作制御部１００１は、処理をステップＳ１３０７に移行し、ファックス制御部１００４に制御を移す。
【００７４】
ステップＳ１３０７では、ファックス制御部１００４は、ステップＳ１３０５で得たスキャンデータＳＤ１を、設定された宛先にファックス送信する。すなわち、ファックス制御部１００４は、画像メモリ８０４に保存されたスキャンデータＳＤ１に対してファックス送信可能となるような画像変換処理を施す。そしてファックス制御部１００４は、変換後のスキャンデータＳＤ１を、ファックス部８５２を介して、ステップＳ１３０３で設定した宛先に対してファクシミリ送信する。ファックス制御部１００４は、本発明における「第１の送信手段」として機能する。
【００７５】
次に、動作制御部１００１は、印刷制御部１００３に制御を移す。ステップＳ１３０８で、印刷制御部１００３は、原稿Ｇに対して済スタンプ１２０５を印字する。すなわち、印刷制御部１００３は、搬送ローラ４２、４０を介して原稿Ｇを印刷可能な位置まで搬送し、原稿Ｇの第１面に済スタンプ１２０５を印字する。
【００７６】
次に、動作制御部１００１は、スキャン制御部１００２に制御を移す。ステップＳ１３０９で、スキャン制御部１００２は、マスタデータＭＤとＱＲコード情報とが保存される場所を示す「保存先情報」を取得する。ここで、保存先情報とは、マスタデータ制御部１００５とのデータの送受信を行うための情報であり、サーバコンピュータ８７０を特定することが可能なＩＰアドレスやコンピュータ名といった情報である。なお、保存先情報は、メニュー表示部１１２１のメニュー選択によって予め設定され、所定のメモリに保存されているものとする。なお、本実施の形態では、サーバコンピュータ８７０のマスタデータ保存部１００６を保存先としたが、これに限るものではない。また、保存先は、通信回線８６１を介してアクセスできる場所に限定されず、画像形成装置１に内蔵または外付けされた記憶装置であってもよい。
【００７７】
次に、スキャン制御部１００２は、スキャンデータＳＤ１を、マスタデータ保存部１００６に保存可能なファイル形式に変換することでマスタデータＭＤを生成する（ステップＳ１３１０）。次に、スキャン制御部１００２は、生成したマスタデータＭＤを特定するためのＱＲコード１２０６を生成する（ステップＳ１３１１）。すなわち、スキャン制御部１００２は、本発明における「第１の生成手段」、「第２の生成手段」として機能する。なお、ＱＲコード１２０６には保存先情報を含めてもよい。
【００７８】
次に、スキャン制御部１００２は、ステップＳ１３１０で生成したマスタデータＭＤとステップＳ１３１１で生成したＱＲコード１２０６をデコードしたＱＲコード情報とを対応付けて、保存先に保存する（ステップＳ１３１２）。具体的には、スキャン制御部１００２は、マスタデータＭＤとＱＲコード情報とを対応付けてサーバコンピュータ８７０のマスタデータ制御部１００５へ、保存指示と共に送信する。これにより、サーバコンピュータ８７０は、マスタデータ保存部１００６に、マスタデータＭＤとＱＲコード情報とを対応付けて保存する。スキャン制御部１００２は、本発明における「保存手段」として機能する。
【００７９】
次に、動作制御部１００１は、印刷制御部１００３に制御を移す。ステップＳ１３１３で、印刷制御部１００３は、原稿Ｇに対してＱＲコード１２０６を印字する。すなわち、印刷制御部１００３は、搬送ローラ４２、４０を介して原稿Ｇを印刷可能な位置まで搬送し、原稿Ｇの第１面にＱＲコード１２０６を印字する。これにより、原稿Ｇは図１２に示す送信済み原稿Ｇ２となる。すなわち、印刷制御部１００３は、本発明における「印字手段」として機能する。その後、図１３の処理が終了する。
【００８０】
一方、ステップＳ１３０６の判別の結果、スキャン制御部１００２は、スキャンデータＳＤ１にＱＲコード１２０６が含まれている場合は、原稿Ｇは送信済み原稿Ｇ２であるので、処理をステップＳ１３１４に移行する。ステップＳ１３１４では、スキャン制御部１００２は、ＱＲコード１２０６を解析する。すなわち、スキャン制御部１００２は、ＱＲコード１２０６をデコードしたＱＲコード情報から、対応するマスタデータＭＤのファイル名や、マスタデータＭＤがサーバコンピュータ８７０のマスタデータ保存部１００６に保存されている等の情報を解読する。
【００８１】
次にスキャン制御部１００２は、ＱＲコード１２０６に対応するマスタデータＭＤを、保存先であるマスタデータ保存部１００６から取得する（ステップＳ１３１５）。すなわち、スキャン制御部１００２は、サーバコンピュータ８７０に対してＱＲコード情報を送信する。すると、サーバコンピュータ８７０では、マスタデータ制御部１００５は、受信したＱＲコード情報に対応するマスタデータＭＤをマスタデータ保存部１００６から取得し、それをスキャン制御部１００２に送信する。スキャン制御部１００２は、送信されたマスタデータＭＤを受信することで取得する。すなわち、スキャン制御部１００２は、本発明における「取得手段」として機能する。
【００８２】
次に、スキャン制御部１００２は、取得したマスタデータＭＤから、ファックス送信可能なスキャンデータＳＤ２を生成する（ステップＳ１３１６）。すなわち、スキャン制御部１００２は、マスタデータ制御部１００５から受信したマスタデータＭＤのデータ形式を変換してスキャンデータＳＤ２を生成し、それを画像メモリ８０４に保存する。スキャン制御部１００２は、本発明における「第３の生成手段」として機能する。なお、このとき、画像メモリ８０４に既に保存されている、ステップＳ１３０５でスキャンしたスキャンデータＳＤ１は削除してもよい。そして、動作制御部１００１は、ファックス制御部１００４に制御を移す。
【００８３】
ファックス制御部１００４は、画像メモリ８０４に保存されたスキャンデータＳＤ２をファックス送信可能な画像データに変換してファックス送信する（ステップＳ１３１７）。すなわち、ファックス制御部１００４は、ファックス部８５２を介して、ステップＳ１３０３で設定した宛先に対してスキャンデータＳＤ２をファックス送信する。ファックス制御部１００４は、本発明における「第２の送信手段」として機能する。
【００８４】
本実施の形態によれば、ファックス送信する際に、原稿Ｇを読み取って得たスキャンデータＳＤ１にＱＲコード１２０６が含まれていた場合は、ＱＲコード１２０６に対応するマスタデータＭＤが保存先から取得される。そしてマスタデータＭＤからスキャンデータＳＤ２が生成され、スキャンデータＳＤ１ではなくスキャンデータＳＤ２がファックス送信される。
【００８５】
よって、同じ原稿の２度目以降の送信においても、最初に読み取ったスキャンデータを送信することができる。従って、ファックス送信する際に、済スタンプ１２０５やＱＲコード１２０６が印字された送信済み原稿Ｇ２を改めてファックス送信する場合に、済スタンプ１２０５やＱＲコード１２０６が含まれない画像を送信することが可能となる。例えば、同じ原稿Ｇにつき、ファックス送信の失敗に伴う再送信や、別宛先へ送信する場合であっても、済スタンプ１２０５やＱＲコード１２０６が印字されていないスキャンデータを送信することが可能となる。また、ファックス送信後に原稿Ｇに手書き等で追記がなされたとしても、その追記事項が含まれない画像を送信することができる。
【００８６】
（第２の実施の形態）
原稿Ｇへの済スタンプ１２０５の印字は、実施したくない場合もある。また、原稿Ｇに対するＱＲコード１２０６の印字も、済スタンプ１２０５の印字を行うか否かに応じて実施されるのが望ましい。そこで本発明の第２の実施の形態では、済スタンプ１２０５を印字するか否かをユーザが指定できるようにし、ＱＲコード１２０６の印字も済スタンプ１２０５を印字する場合に限る構成を採用する。
【００８７】
図１１（ｂ）は、本実施の形態において操作部８５１に表示される操作画面１１０１の一例を示す図である。この操作画面１１０１は、図１１（ａ）に示す操作画面１１０１のソフトキー操作部１１２０の詳細機能表示部１１２２に、「済スタンプ印字１１２５」を追加したものである。済スタンプ印字１１２５は、済スタンプ１２０５の印字を行うか否かを設定するためのチェックボックスであり、ここにチェックされた場合には、済スタンプ１２０５を原稿Ｇに印字する指定がなされたことを意味する。
【００８８】
図１４は、本実施の形態におけるメニュー実行処理を示すフローチャートである。この処理は、図１３の処理に対して、ステップＳ１４０１、Ｓ１４０２を追加したものである。図１４において、第１の実施の形態と同一の処理となるステップについては説明を省略する。
【００８９】
ステップＳ１３０３において、動作制御部１００１は、ファックス送信する宛先の設定に加えて、済スタンプ印字１１２５の設定を受け付ける。ユーザは、済スタンプ１２０５の印字を行いたい場合に、済スタンプ印字１１２５のチェックボックスをＯＮに設定する。動作制御部１００１は、済スタンプ印字１１２５のチェックボックスの設定結果に応じて済スタンプモードを保持する。済スタンプ印字１１２５がＯＮ／ＯＦＦの場合に、それぞれ、済スタンプモードは、ＯＮ／ＯＦＦに設定される。
【００９０】
ステップＳ１３０７の処理後、動作制御部１００１は、印刷制御部１００３に制御を移す。ステップＳ１４０１では、印刷制御部１００３は、動作制御部１００１から済スタンプモードを取得する。ステップＳ１４０２では、印刷制御部１００３は、取得した済スタンプモードがＯＮであるか否かを判別する。その判別の結果、済スタンプモードがＯＮである場合は、ステップＳ１３０８〜Ｓ１３１３の処理が実行される。従って、原稿Ｇに対する済スタンプ１２０５及びＱＲコード１２０６の印字が実施される。一方、済スタンプモードがＯＦＦである場合は、印刷制御部１００３は、図１４の処理を終了させる。この場合、済スタンプ１２０５及びＱＲコード１２０６の印字は実施されない。
【００９１】
本実施の形態によれば、ユーザが印字を指定した場合にだけ、原稿Ｇに対する済スタンプ１２０５及びＱＲコード１２０６の印字が実施される。よって、第１の実施の形態と同様の効果を奏するだけでなく、印字指定時のみにマスタデータＭＤの生成及び保存、並びに、ＱＲコード１２０６の生成、保存及び印字が実施される。
【００９２】
なお、本実施の形態では、済スタンプ１２０５の印字を行うか否かという形で設定を受け付けたが、ＱＲコード１２０６の印字を行うか否かという形で設定を受け付ける構成であってもよい。あるいは、済スタンプ１２０５とＱＲコード１２０６のそれぞれについて、独立して印字を行うか否かを設定できるようにしてもよい。その場合、ステップＳ１３０８〜Ｓ１３１３において、対応する必要な処理だけが実行される。また、マスタデータＭＤの生成及び保存に関する処理は、ＱＲコード１２０６が印字される場合にだけ実施されるようにしてもよい。
【００９３】
（第３の実施の形態）
第１の実施の形態においては、ＱＲコード１２０６が印字された送信済み原稿Ｇ２を再びファックス送信する際に、ネットワーク障害などにより、マスタデータ保存部１００６からマスタデータＭＤを取得できない場合があり得る。本発明の第３の実施の形態では、このような場合の対処を予め設定しておき、その設定に従い処理を行うようにする。
【００９４】
図１１（ｃ）は、本実施の形態において操作部８５１に表示される操作画面１１０１の一例を示す図である。この操作画面１１０１は、図１１（ａ）に示す操作画面１１０１のソフトキー操作部１１２０の詳細機能表示部１１２２に、「強制送信設定１１２６」を追加したものである。強制送信設定１１２６は、保存先（マスタデータ保存部１００６）からマスタデータＭＤを取得できなかった場合に、ファックス送信に関しどのように処理するかを設定するためのチェックボックスである。強制送信設定１１２６のチェックボックスがＯＮに設定されると、強制送信の実行指示が設定される。従って、マスタデータＭＤを取得できなかった場合に、済スタンプ１２０５が印字された送信済み原稿Ｇ２をスキャンしたデータ（済スタンプ１２０５付きのスキャンデータＳＤ１）がファックス送信される（強制送信）。一方、強制送信設定１１２６のチェックボックスがＯＦＦに設定されると、マスタデータＭＤを取得できなかった場合、ファックス送信自体が実行されない。
【００９５】
図１５は、本実施の形態におけるメニュー実行処理を示すフローチャートである。この処理は、図１３の処理に対して、ステップＳ１５０１〜Ｓ１５０４を追加したものである。図１５において、第１の実施の形態と同一の処理となるステップについては説明を省略する。
【００９６】
ステップＳ１３０３において、動作制御部１００１は、ファックス送信する宛先の設定に加えて、強制送信設定１１２６の設定を受け付ける。ユーザは、強制送信を行いたい場合に、強制送信設定１１２６のチェックボックスをＯＮに設定する。動作制御部１００１は、強制送信設定１１２６のチェックボックスの設定結果に応じて強制送信モードを保持する。強制送信設定１１２６がＯＮ／ＯＦＦの場合に、それぞれ、強制送信モードは、ＯＮ／ＯＦＦに設定される。
【００９７】
ステップＳ１３１５の処理後、スキャン制御部１００２は、マスタデータ保存部１００６からマスタデータＭＤを取得できたか否かを判別する（ステップＳ１５０１）。ステップＳ１５０１の判別の結果、マスタデータＭＤを取得できた場合は、ステップＳ１３１６、Ｓ１３１７の処理が実行され、図１５の処理が終了する。この場合、マスタデータＭＤから生成されたスキャンデータＳＤ２がファックス送信される。
【００９８】
一方、ステップＳ１５０１の判別の結果、マスタデータＭＤを取得できなかった場合は、ステップＳ１５０１の判別の後、動作制御部１００１は、ファックス制御部１００４に制御を移す。そして、ファックス制御部１００４は、動作制御部１００１から強制送信モードを取得する（ステップＳ１５０２）。次に、ファックス制御部１００４は、取得した強制送信モードがＯＮであるか否かを判別する（ステップＳ１５０３）。その判別の結果、強制送信モードがＯＮである場合は、ファックス制御部１００４は、送信済み原稿Ｇ２をステップＳ１３０５においてスキャンして得たデータ（スキャンデータＳＤ１）を用いてファックス送信する（ステップＳ１５０４）。このスキャンデータＳＤ１には、済スタンプ１２０５とＱＲコード１２０６が含まれている。これらが含まれていても、ユーザの希望に従って強制的にファックス送信がなされることになる。
【００９９】
一方、ステップＳ１５０３の判別の結果、強制送信モードがＯＦＦである場合は、ファックス制御部１００４は、図１５の処理を終了させる。従って、ファックス送信は実行されない。
【０１００】
以上の処理により、予め設定した送信の仕方に応じてファックス送信処理が行われる。ユーザとしては、済スタンプ１２０５やＱＲコード１２０６が付随してもよいからファックス送信することを優先したい場合は、強制送信設定１１２６をＯＮに設定すればよい。一方、済スタンプ１２０５やＱＲコード１２０６が付随したスキャンデータＳＤ１の送信を避けたい場合は、強制送信設定１１２６をＯＦＦに設定すればよい。
【０１０１】
従って、本実施の形態によれば、第１の実施の形態と同様の効果を奏するだけでなく、ユーザの意思に応じて、ファックス送信の可否を指定することができる。
【０１０２】
なお、図１５の処理において、マスタデータＭＤを取得できなかった場合に、ファックス送信を一律に禁止するように構成してもよい。その場合、ステップＳ１５０２〜Ｓ１５０４を廃止し、ステップＳ１５０１の判別の結果、マスタデータＭＤを取得できなかった場合は、図１５の処理が終了するようにすればよい。これにより、強制送信設定１１２６を常にＯＦＦに設定したのと同様となり、送信するデータを、最初に読み取ったスキャンデータＳＤ１に限ることができる。
【０１０３】
なお、上記各実施の形態においては、本発明を適用してスキャンデータを送信する態様としてファックス送信を例示したが、これに限られない。例えば、Ｅメール送信にも本発明を適用できる。その場合、例えば、プログラムメモリ８０３（図１０）には、Ｅメール送信処理用に、ファックス制御部１００４に相当するＥメール制御部を設ける。
【０１０４】
なお、第２の実施の形態及び第３の実施の形態の双方を組み合わせて、済スタンプモード、強制送信モードをそれぞれ設定できるようにしてもよい。
【０１０５】
（他の実施形態）
本発明は、以下の処理を実行することによっても実現される。即ち、上述した実施形態の機能を実現するソフトウェア（プログラム）をネットワーク又は各種記憶媒体を介してシステム或いは装置に供給し、そのシステム或いは装置のコンピュータ（又はＣＰＵやＭＰＵ等）がプログラムコードを読み出して実行する処理である。この場合、そのプログラム、及び該プログラムを記憶した記憶媒体は本発明を構成することになる。
【０１０６】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【０１０７】
８０３  プログラムメモリ
１００１  動作制御部
１００２  スキャン制御部
１００３  印刷制御部
１００４  ファックス制御部
１００６  マスタデータ保存部
【図１】
2016046716.tif 000003
【図２】
2016046716.tif 000004
【図３】
2016046716.tif 000005
【図４】
2016046716.tif 000006
【図５】
2016046716.tif 000007
【図６】
2016046716.tif 000008
【図７】
2016046716.tif 000009
【図８】
2016046716.tif 000010
【図９】
2016046716.tif 000011
【図１０】
2016046716.tif 000012
【図１１】
2016046716.tif 000013
【図１２】
2016046716.tif 000014
【図１３】
2016046716.tif 000015
【図１４】
2016046716.tif 000016
【図１５】
2016046716.tif 000017